(57)【要約】【課題】  本発明は表示体の軸心方向の両端部にスペースがなくても設置することができるとともに、表示体の段階的な表示の演出が可能な回動表示装置を得るにある。【解決手段】  ベース板と、このベース板にスライド移動可能に取付けられたラックと、このラックと噛み合う駆動軸に取付けられたピニオンの正・逆回転で該ラックをスライド移動させる前記ベース板に取付けられた正・逆回転モータと、前記ラックに固定された係合ピンと、この係合ピンと係合する螺旋溝が外周部に形成された、前記ラックのスライド移動による該係合ピンの移動で回動するように前記ベース板に取付けられた軸と、この軸に取付けられた表示体とで回動表示装置を構成している。【選択図】  図１
2007143900.tif 000002
【特許請求の範囲】
【請求項１】
ベース板と、このベース板にスライド移動可能に取付けられたラックと、このラックと噛み合う駆動軸に取付けられたピニオンの正・逆回転で該ラックをスライド移動させる前記ベース板に取付けられた正・逆回転モータと、前記ラックに固定された係合ピンと、この係合ピンと係合する螺旋溝が外周部に形成された、前記ラックのスライド移動による該係合ピンの移動で回動するように前記ベース板に取付けられた軸と、この軸に取付けられた表示体を備えることを特徴とする回動表示装置。
【請求項２】
ベース板と、このベース板にスライド移動可能に取付けられたラックと、このラックと噛み合う駆動軸に取付けられたピニオンの正・逆回転で該ラックをスライド移動させる前記ベース板に取付けられた正・逆回転モータと、前記ラックに固定された係合ピンと、この係合ピンと係合する螺旋溝が外周部に形成された、前記ラックのスライド移動による該係合ピンの移動で回動するように前記ベース板に取付けられた軸と、この軸に取付けられた該軸の両端部寄りの部位に固定された一対の支柱、この一対の支柱の上部寄りの部位に両端部が取付けられた支持バーとからなる回動フレームおよび、該回動フレームの支持バーに回動可能に取付けられたフィギュア等の表示物とからなる表示体を備えることを特徴とする回動表示装置。
【発明の詳細な説明】
【技術分野】
【０００１】
本発明は主に遊技機のやくものを回動表示するために使用される回動表示装置  に関する。
【背景技術】
【０００２】
従来、この種の回動表示装置は、正・逆回転モータの駆動軸で直接表示体の軸を回動するように構成されている。
【０００３】
このため、表示体の軸の一方の端部に正・逆回転モータを配置しなければならず、軸の両端部のスペースに制約がある場合には使用することができないという欠点があった。
【特許文献１】特になし。
【発明の開示】
【発明が解決しようとする課題】
【０００４】
本発明は以上のような従来の欠点に鑑み、表示体の軸心方向の両端部にスペースがなくても設置することができるとともに、表示体の段階的な表示の演出が可能な回動表示装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はベース板と、このベース板にスライド移動可能に取付けられたラックと、このラックと噛み合う駆動軸に取付けられたピニオンの正・逆回転で該ラックをスライド移動させる前記ベース板に取付けられた正・逆回転モータと、前記ラックに固定された係合ピンと、この係合ピンと係合する螺旋溝が外周部に形成された、前記ラックのスライド移動による該係合ピンの移動で回動するように前記ベース板に取付けられた軸と、この軸に取付けられた表示体とで回動表示装置を構成している。
【発明の効果】
【０００７】
以上の説明から明らかなように、本発明にあっては次に列挙する効果が得られる。
【０００８】
（１）ベース板にスライド移動可能に取付けられたラックと、このラックと噛み合う駆動軸に取付けられたピニオンの正・逆回転で該ラックをスライド移動させる前記ベース板に取付けられた正・逆回転モータと、前記ラックに固定された係合ピンと、この係合ピンと係合する螺旋溝が外周部に形成された、前記ラックのスライド移動による該係合ピンの移動で回動するように前記ベース板に取付けられた軸と、この軸に取付けられた表示体とで構成されているので、ラックを軸に沿ってスライド移動させることにより、表示体を回動させることができる。
したがって、軸に沿ってラックが配置されるので、従来のように軸の両端部に正・逆回転モータを配置しなくてもよく、該部位にスパースがなくても設置することができる。
【０００９】
（２）前記（１）によって、正・逆回転モータ、ピニオン、ラック、係合ピン、外周部に螺旋溝が形成された軸とで表示体を回動させることができる。
したがって、表示体を見せたり、隠したりの表示と、段階的に表示させる表示等の演出を行なうことができるとともに、螺旋溝の形状を変えることにより、モータの制御を行わなくても演出効果を換えることができる。
【００１０】
（３）前記（１）によって、表示体の回動により、位置していない部位に正・逆回転モータ、ピニオン、ラックを配置することができる。
したがって、表示体を回動させるための部品の配置が容易にできる。
【００１１】
（４）請求項２も前記（１）〜（３）と同様な効果が得られるとともに、フィギュア等の表示物を常時垂直状態に位置させて表示することができる。
【発明を実施するための最良の形態】
【００１２】
以下、図面に示す本発明を実施するための最良の形態により、本発明を詳細に説明する。
【００１３】
図１ないし図９に示す本発明を実施するための最良の第１の形態において、１はパチンコ機等の遊技機のやくものを回動表示する場合に使用される本発明の回動表示装置で、この回動表示装置１は遊技機の表示板等の背面に取付けられる長方形状のベース板２と、このベース板２の上部にほぼ水平方向に形成された長孔のガイド孔３、３にガイドピン４、４が係合して、ほぼ水平方向にスライド移動するラック５と、このラック５と噛み合う駆動軸６に取付けられたピニオン７の正・逆回転で、該ラック５をスライド移動させる前記ベース板２に取付けられた正・逆回転モータ８と、前記ラック５の反ガイドピン４、４側に外方へ突出するように固定された係合ピン９、9と、この係合ピン９、9と係合する、ほぼ９０度回動可能な螺旋溝１０、１０が外周部に形成された、前記ラック５のスライド移動による該係合ピン９、９の移動によって回動するように前記ベース板２に固定された軸受部材１１、１１に取付けられた筒状あるいは中空状の軸１２と、この軸１２の両端部寄りの部位に固定された一対の支柱１３、１３、この一対の支柱１３、１３の上部寄りの部位に両端部が取付けられた支持バー１４とからなる回動フレーム１５および、この回動フレーム１５の支持バー１４に回動可能に取付けられたフィギュア等の表示物１６、１６、１６とからなる表示体１７と、前記ベース板２に取付けられた前記正・逆回転モータ８の回転位置センサ１８および駆動回路を設けた基板１９とで構成されている。
【００１４】
このように構成された回動表示装置１は、遊技機の表示板等の表示窓２０に回動フレーム１５に回動可能に取付けられた表示物１６、１６、１６を位置できるようにベース板２を取付部材２１を介して取付けられる。
正・逆回転モータ８の駆動によって、回動フレーム１５がほぼ水平状態に位置されると、表示窓２０には表示物１６、１６、１６が見えない隠れた位置状態となる。正・逆回転モータ８を駆動させてピニオン７を正回転させると、ラック５がベース板２のガイド孔３、３に沿ってスライド移動するとともに、該ラック５のスライド移動によって、係合ピン９、９も同方向へ移動するため、該係合ピン９、９と係合している螺旋溝１０、１０が形成された軸１２は螺旋溝１０、１０によって回動し、回動フレーム１５をほぼ垂直状態となるように回動して、表示窓２０より表示物１６、１６、１６を見える位置状態にできる。
なお、正・逆回転モータ８の駆動を制御することにより、表示窓２０より表示物１６、１６、１６が半分だけ見えるような段階的な表示もできる。
[発明を実施するための異なる形態]
【００１５】
次に、図１０ないし図１７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１６】
図１０ないし図１２に示す本発明を実施するための第２の形態において、前記本発明を実施するための最良の第１の形態と主に異なる点は、回動フレーム１５に固定的に表示物１６Ａ、１６Ａを取付けた表示体１７Ａを用いた点で、このような表示体１７Ａを用いて構成した回動表示装置１Ａにしても、前記本発明を実施するための最良の第１の形態と同様な作用効果が得られる。
なお、表示物１６Ａ、１６Ａは回動フレーム１５の回動角度に応じて、傾斜状態からほぼ垂直状態で表示ができる。
【００１７】
図１３ないし図１７に示す本発明を実施するための第３の形態において、前記本発明を実施するための第２の形態と主に異なる点は、ラック５のほぼ中央部位置に係合ピン９、９を固定するとともに、ほぼ１８０度回動可能な螺旋溝１０Ａ、１０Ａを形成した軸１２Ａを用い、回動フレーム１５の表面と裏面に表示物１６Ｂ、１６Ｃを取付けた表示体１７Ｂを用いた点で、このように構成した回動表示装置１Ｂにしても、前記本発明を実施するための第２の形態と同様な作用効果が得られるとともに、２箇所の表示窓２０、２０Ａで異なる表示物１７Ｂ、１７Ｃを表示することができる。
【産業上の利用可能性】
【００１８】
本発明は遊技機の回動表示装置を製造する産業で利用される。
【図面の簡単な説明】
【００１９】
【図１】本発明を実施するための最良の第１の形態の斜視図。
【図２】本発明を実施するための最良の第１の形態の正面図。
【図３】本発明を実施するための最良の第１の形態の背面図。
【図４】本発明を実施するための最良の第１の形態の平面図。
【図５】本発明を実施するための最良の第１の形態のラックの説明図。
【図６】本発明を実施するための最良の第１の形態の軸の説明図。
【図７】本発明を実施するための最良の第１の形態の表示物が見える全表示状態にした説明図。
【図８】本発明を実施するための最良の第１の形態の表示物が半分見える半分表示状態にした説明図。
【図９】本発明を実施するための最良の第１の形態の表示物が見えない非表示状態にした説明図。
【図１０】本発明を実施するための第２の形態の斜視図。
【図１１】本発明を実施するための第２の形態の正面図。
【図１２】本発明を実施するための第２の形態の表示体の説明図。
【図１３】本発明を実施するための第３の形態の斜視図。
【図１４】本発明を実施するための第３の形態の正面図。
【図１５】本発明を実施するための第３の形態の表示体の説明図。
【図１６】本発明を実施するための第３の形態の上部表示窓に表示した説明図。
【図１７】本発明を実施するための第３の形態の下部表示窓に表示した説明図。
【符号の説明】
【００２０】
１、１Ａ、１Ｂ：回動表示装置、
２：ベース板            、                ３：ガイド孔、
４：ガイドピン、              ５：ラック、
６：駆動軸、                              ７：ピニオン、
８：正・逆回転モータ、        ９：係合ピン、
１０、１０Ａ：螺旋溝、        １１：軸受部材、
１２、１２Ａ：軸、                        １３：支柱、
１４：支持バー、              １５：回動フレーム、
１６、１６Ａ、１６Ｂ、１６Ｃ：表示物、
１７、１７Ａ、１７Ｂ：表示体、
１８：回転位置センサ、        １９：基板、
２０：表示窓、                ２１：取付部材。
【図１】
2007143900.tif 000003
【図２】
2007143900.tif 000004
【図３】
2007143900.tif 000005
【図４】
2007143900.tif 000006
【図５】
2007143900.tif 000007
【図６】
2007143900.tif 000008
【図７】
2007143900.tif 000009
【図８】
2007143900.tif 000010
【図９】
2007143900.tif 000011
【図１０】
2007143900.tif 000012
【図１１】
2007143900.tif 000013
【図１２】
2007143900.tif 000014
【図１３】
2007143900.tif 000015
【図１４】
2007143900.tif 000016
【図１５】
2007143900.tif 000017
【図１６】
2007143900.tif 000018
【図１７】
2007143900.tif 000019